(57)【要約】【課題】インテリアとしての機能或いは癒し効果を及ぼすことができるテレビジョン装置を提供する。【解決手段】  表示装置１０は、画像を表示する表示部１と、表示部の周辺に配備された周辺発光部２と、発光部の発光態様を設定するための設定部１７と、設定部１７に記憶された設定に従って、周辺発光部２のＬＥＤの発光を制御するＬＥＤ制御部１６を備える。設定部１７は、情報の報知を行う際の発光を設定するためのお知らせ設定画面、及び癒し効果を演出するための発光を設定するための癒し設定画面のレイアウト情報を記憶しており、表示部１は、このレイアウト情報に基づいた表示画面が表示される。【選択図】図１３
2014064230.tif 000002
【特許請求の範囲】
【請求項１】
画像を表示する表示部と、
表示部の周辺に配備された発光部と、
発光部の発光態様を設定するための設定部と、
設定部の設定に従って、発光部の発光を制御する制御部を備え、
設定部は、情報の報知を行う際の発光を設定するためのお知らせ設定画面、及び癒し効果を演出するための発光を設定するための癒し設定画面を表示部に表示させる、
ことを特徴とする、表示装置。
【請求項２】
発光部は、
表示部の上側に設けられた第１発光部、表示部の右側に設けられた第２発光部、表示部の下側に設けられた第３発光部、及び表示部の左側に設けられた第４発光部を少なくとも備え、
制御部は、第１ないし第４発光部の輝度を独立に制御可能である
ことを特徴とする、請求項１記載の表示装置。
【発明の詳細な説明】
【技術分野】
【０００１】
本発明は、表示部の周辺部に発光部を設けた表示装置に関する。
【背景技術】
【０００２】
液晶テレビやプラズマテレビは、ニュース等の情報番組、映画、音楽などの娯楽番組を提供する装置として普及している。これらのテレビでは、大画面化、高画質化、高音質化が進んでおり、家庭でも映画館並みの迫力の映像を味わうことも可能となっている。更に、特許文献１では、劇場の舞台照明のような演出効果を擬似的に実現すべく、テレビに周辺照明を加える技術が開示されている。
【先行技術文献】
【特許文献】
【０００３】
【特許文献１】特表２００７−５２５８００号公報
【発明の概要】
【発明が解決しようとする課題】
【０００４】
しかし、これらのテレビは四六時中使用される訳ではなく、使用されない時間も多い。にもかかわらず、家庭内の一定のスペースを占拠することとなるため、テレビにはインテリアとしての機能も期待されている。これに鑑み、本発明は創作されたものである。
【課題を解決するための手段】
【０００５】
本発明の表示装置は、画像を表示する表示部と、表示部の周辺に配備された発光部と、発光部の発光態様を設定するための設定部と、設定部の設定に従って、発光部の発光を制御する制御部を備え、設定部は、情報の報知を行う際の発光を設定するためのお知らせ設定画面、及び癒し効果を演出するための発光を設定するための癒し設定画面を表示部に表示させる、ことを特徴とする。
【発明の効果】
【０００６】
インテリアとしての機能或いは癒し効果を及ぼすことができるテレビジョン装置を提供する。
【図面の簡単な説明】
【０００７】
【図１】表示装置１０の前面斜視図である。
【図２】表示装置１０の使用イメージ図である。
【図３】表示装置１０の正面図である。
【図４】光源部Ｌ１近傍の正面斜視図である。
【図５】光源部Ｌ１近傍の垂直断面図である。
【図６】表示装置１０の周辺光設定画面を示す図である。
【図７】周辺光設定のうちの、お知らせ設定画面を示す図である。
【図８】表示装置１０の周辺部のうち左右面が発光している態様を示す図である。
【図９】表示装置１０の周辺部のうち上下面が発光している態様を示す図である。
【図１０】表示装置１０の周辺部の全周が発光している態様を示す図である。
【図１１】表示装置１０の周辺部が点滅している態様を示す図である。
【図１２】周辺光設定のうちの、いやし設定画面を示す図である。
【図１３】いやし設定画面中のモード設定画面を示す図であり、「ＯＮ／ＯＦＦモード」を選択したときの図である。
【図１４】表示装置１０の周辺部の強度が段階的に変化する様子を示す図である。
【図１５】「ＯＮ／ＯＦＦモード」中の各モードの発光態様の時系列を示す図である。（ａ）は点滅モード、（ｂ）は固定周期モード、（ｃ）は１／ｆゆらぎモード時である。
【図１６】いやし設定画面中のモード設定画面を示す図であり、「流れるモード」を選択し、更に「単調モード」を選択したときの図である。
【図１７】「流れるモード」→「単調モード」を選択したときの表示装置１０の周辺部の発光態様を示す図である。
【図１８】「流れるモード」→「単調モード」を選択したときの各光源の発光態様の時系列を示す図である。
【図１９】いやし設定画面中のモード設定画面を示す図であり、「流れるモード」を選択し、更に「１／ｆゆらぎモード」を選択したときの図である。
【図２０】「流れるモード」→「１／ｆゆらぎモード」を選択したときの各光源の発光態様の時系列を示す図である。
【図２１】いやし設定画面中のモード設定画面を示す図であり、「流れるモード」を選択し、更に「流星型モード」を選択したときの図である。
【図２２】「流れるモード」→「流星型モード」を選択したときの表示装置１０の周辺部の発光態様を示す図である。
【図２３】「流れるモード」→「流星型モード」を選択したときの各光源の発光態様の時系列を示す図である。
【図２４】いやし設定画面中の色設定画面を示す第１の図である。
【図２５】いやし設定画面中の色設定画面を示す第２の図である。
【図２６】表示装置１０の回路ブロック図である。
【発明を実施するための形態】
【０００８】
以下、本発明の実施例である表示装置について、図面を参照して説明する。
【０００９】
（表示装置１０の構造）
図１は、表示装置１０の前面斜視図である。表示装置１０は、液晶パネル等で構成される表示部１、及び表示部１を収納するための筐体の前側部分であるフロントキャビネット３、及びフロントキャビネット３の外側、即ち表示部１の側部四辺に設けられた周辺発光部２を備えている。同図（ａ）は、周辺発光部２が発光していない場合の図であり、同図（ｂ）は周辺発光部２が発光している場合を示す図である。
【００１０】
図２は、表示装置１０の使用イメージ図である。テレビの外装部分に光を取り入れることにより、インテリアと調和したデザインが実現される。また、周辺発光部２の発光により、メール到着や機器故障の報知を実現することもできる。
【００１１】
図３は、表示装置１０の正面図である。周辺発光部２では、上下側に各２組、左右に各１組の光源部が備えられる。表示部１の上側裏面部には、左側に光源部Ｌ１が、右側に光源部Ｌ２が備えられる。表示部１の左側裏面部には、中央部分に光源部Ｌ３が備えられる。表示部１の右側裏面部には、中央部分に光源部Ｌ４が備えられる。表示部１の下側裏面部には、左側に光源部Ｌ５が、右側に光源部Ｌ６が備えられる。
【００１２】
図４は、上記光源部の詳細を説明するための図であり、光源部Ｌ１近傍の正面斜視図である。  光源部Ｌ２の構成も光源部Ｌ１と同様であり、また、光源部Ｌ３〜Ｌ６についても、向きの違いはあるが、構成自体は同様である。したがって、以下では光源部Ｌ１を例に光源部の詳細を説明する。
【００１３】
光源部Ｌ１は、ＬＥＤ光源２２ａ、２２ｂを備える。各ＬＥＤ光源２２は、赤、青、緑の、三色のＬＥＤからなる。ＬＥＤ光源２２ａの各ＬＥＤは左方に光を出射する。ＬＥＤ光源２２ｂの各ＬＥＤは右方に光を出射する。ＬＥＤ光源２２から出射した光は導光板２
４に入射する。一部の光は側方へ進み、一部の光は上方へ進む。このうち、上方へ進んだ光は上面２５、２６等で屈折して前方へ進み、傾斜面２７からやや斜め上方に向けて出射される。即ち、傾斜面２７が光って見えることとなる。したがって、表示装置１０の視聴者から見れば、あたかも表示部１の上側の枠部が光るような態様で見えることとなる。
【００１４】
上記構成において、光源部Ｌ１、Ｌ２の各ＬＥＤが光った場合、各光源部からの光は導光板２４内を、左右に、又、上方向に拡散することとなるため、その結果、周辺発光部２のうち、表示部１の上側の枠全体が光ることとなる。同様に、光源部Ｌ３の各ＬＥＤが光ることで、周辺発光部２のうち、表示部１の左側の枠全体が光ることとなる。また、光源部Ｌ４の各ＬＥＤが光ることで、周辺発光部２のうち、表示部１の右側の枠全体が光ることとなる。そして、光源部Ｌ５、Ｌ６の各ＬＥＤが光ることで、周辺発光部２のうち、表示部１の下側の枠全体が光ることとなる。
【００１５】
図５は、光源部Ｌ１近傍を他の角度から見たときの垂直断面図である。即ち、図３におけるＡ−Ａ’線に沿う断面図のうち、上側部分を示したものである。同図のように導光板２４は、略Ｌ字型の断面形状を有している。導光板２４の下側部分は、フロントキャビネット３の背面と、バックキャビネット４の前面とで挟まれるような態様となっている。また、導光板２４の上側部分はフロントキャビネット３の上面に乗せられたような態様となっている。導光板２４の下方にはＬＥＤ光源２２がある。ＬＥＤ光源２２の下方には、このＬＥＤ光源２２を駆動するためのＬＥＤ駆動回路基板２８がある。また、ＬＥＤ駆動回路基板２８の背面側下方にはコネクタ２９が装着されている。このコネクタ２９は、所謂メインボードからの信号線を接続するためのものである。
【００１６】
（周辺光設定画面）
図６は、表示装置１０の周辺光設定画面を示す図である。表示装置１０では、情報の報知を行う際の発光を設定するためのお知らせ設定画面、及び、癒し効果を演出するための発光を設定するためのいやし設定画面がある。先ず、図６の画面では、ユーザはリモコン４０（後述）のカーソルキーにより、お知らせ時の設定を行うか、癒し時の設定を行うかを選択する。カーソルキーで選択した後、ＥＮＴＥＲキーを押すと詳細設定に進む。
【００１７】
（お知らせ設定）
図７は、図６の画面において、ユーザがお知らせ設定を選択した場合に表示される設定画面である。来客があった時、ご飯が炊けたとき、風呂が沸いたとき、ガス漏れを検知したとき、メール受信したとき、等に周辺発光部２を光らせることができる。例えば、台所にいるユーザが、隣室のリビングルームにあるＴＶの周辺部が発光しているのを目撃することでお知らせ情報があることを認識できる。
【００１８】
表示装置１０、ドアホン、炊飯器、風呂の湯沸かし器、ガス漏れ検知器は家庭内ネットワークで接続され、例えば、ドアホンが押された場合、その情報が表示装置１０に送信される。本例では、来客有の場合、周辺発光部２が縦方向に光り、かつ黄色に光るよう設定されている。よって、ドアホンからの情報により、表示装置１０が来客ありと認識した場合、光源部Ｌ３及びＬ４のＬＥＤが黄色に発光する（図８参照）。
【００１９】
ご飯が炊けたとき、周辺発光部２が横方向に光り、かつ青色に光るよう設定されている。よって、炊飯器からの情報が入力された場合、光源部Ｌ１、Ｌ２、Ｌ５及びＬ６のＬＥＤが青色に発光する（図９参照）。
【００２０】
風呂が沸いたとき、周辺発光部２の全周が光り、かつ青色に光るよう設定されている。よって、風呂沸かし器からの光情報が入力された場合、光源部Ｌ１〜Ｌ６全てのＬＥＤが青色に発光する（図１０参照）。
【００２１】
ガス漏れを検知したとき、周辺発光部２の全周が光り、かつ赤色に光るよう設定されている。メール着信有の場合、周辺発光部２が縦方向に光り、かつ青色に光るよう設定されている。なお、メール着信にあっては、他人の傍受を防ぐべく、別の設定画面で所定のパスワードを入力した場合のみ周辺発光部２が光るようにしても良い。
【００２２】
また、周辺発光部２の発光は、点滅する態様で光るものでも良いし、所定時間の間、一定輝度で光るものであっても良い。点滅する態様の場合、図１１の（ａ）（ｂ）で示す状態が交互に繰り返されることとなる。
【００２３】
（いやし設定画面）
図１２は、図６の画面において、ユーザがいやし設定を選択した場合に表示される設定画面である。このいやし設定画面では、色設定とモード設定を行うことができる。この画面では、カーソルキーにより、色設定を行うか、モード設定を行うかを選択でき、ＥＮＴＥＲキーを押下すると詳細設定を行うことができる。
【００２４】
（いやし時のモード設定）
図１３は、図１２の画面において、モード設定を選択したときの画面を示す図である。いやしのモードとしては、「ＯＮ／ＯＦＦ」と「流れる」の２つがあるが、ここでは「ＯＮ／ＯＦＦ」を選択したときの例を示している。「ＯＮ／ＯＦＦ」モードでは、更に下位のモードとして、「点滅」「固定周期」「１／ｆゆらぎ」の３つのモードがある。
【００２５】
点滅モードは、図１１に示すように、表示部１の周辺が光っている状態と消えている状態が交互に生じるモードである。これを時系列的に示すと図１５（ａ）のようになり、周辺発光部２は、輝度ゼロの状態と、一定輝度の状態が交互に生じることとなる。
【００２６】
固定周期モードでは、まず図１４（ａ）にように表示部１の周辺が光っていない状態から、同図（ｂ）のように弱く光っている状態に遷移し、更に図（ｃ）のように強く光っている状態に遷移する。その後、再び図（ｂ）に示すように弱く光っている状態に戻り、最終的に図（ａ）のように周辺が光っていない状態になる。これを時系列的に示せば図１５（ｂ）のようになり、周辺発光部２は、一定の周期で、かつ比例的に発光強度が変化する。図１５（ｃ）は、１／ｆゆらぎモードにおける発光態様を示すものである。1/fゆらぎとは、パワー（スペクトル密度）が周波数fに反比例するゆらぎのことである。自然現象においても見られ、例えば、ろうそくの炎の揺れ方、小川のせせらぎ音、木漏れ日、蛍の光り方などが例として挙げられる。本モードにおいても固定周期モードの場合と同様、図１４（ａ）→（ｂ）→（ｃ）→（ｂ）→（ａ）の順に遷移する。しかし、時系列的に示せば図１５（ｃ）のようになり、明滅の周期が変化する点で、固定周期モードと相違する。即ち、始めは長い周期で明滅を行うが、その周期が徐々に短くなり、最終的には高速で光の明滅が行われることとなる。また、長周期で明滅する期間はピーク強度が大きくなるが、短周期で明滅する期間はピーク強度が小さい。即ち、パワーが周波数に反比例する態様で明滅するようになっている。
【００２７】
図１６は、モード設定において、更に「流れる」を選択したときの設定画面を示す図である。この「流れる」モードでは、図１７に示すように、周辺発光部２の発光箇所が時々刻々変化するように光る。ある時刻では同図（ａ）のように上側が光り、次の時刻では同図（ｂ）のように右側が光る。そして、下側（同図ｃ）、左側（同図ｄ）が光る。即ち、発光位置が時々刻々変化することにより、あたかも周辺発光部２が流れるように光って見える。
【００２８】
「流れる」モードでは、更に下位のモードとして、「単調」「１／ｆゆらぎ」「流星型
」の３つのモードがある。図１６では、更に「単調」を選択した場合の設定画面を示すものである。「単調」モードでは、図１８に示すように、上、右、下、左の各光源部が交互に、かつ同期間の間、光る。例えば、まず初めに、上側の光源部Ｌ１、Ｌ２のＬＥＤが一定時間光る。次に右側の光源部Ｌ４のＬＥＤが一定時間光る。次に、下側の光源部Ｌ５、Ｌ６のＬＥＤが一定時間光る。次に、左の光源部Ｌ３のＬＥＤが一定時間光る。そして、上側の光源部Ｌ１、Ｌ２のＬＥＤが一定時間光る。以下、同様の動作が繰り返される。
【００２９】
図１９は「流れる」モードにおいて更に「１／ｆゆらぎ」モードを選択した場合の設定画面を示すものである。この「１／ｆゆらぎ」モードでも、上、右、下、左の各光源部が順次光る点では「単調」モードと共通しているが、光源部の光る期間が変化する点で相違する。例えば、図１０のように最初は各光源が長い期間光る（光源の切り替え周期が長い）が、光源の光る期間が徐々に短くなっていく（光源の切り替え周期が短くなっていく）。また、光源の切り替え周期が長い期間は、光源輝度のピーク強度は大きくし、光源の切り替え周期が短くなるにつれて、光源輝度のピーク強度を徐々に小さくしても良い。即ち、パワーが周波数に反比例する態様で明滅するようにしても良い。
【００３０】
図２１は「流れる」モードにおいて更に「流星型」モードを選択した場合の設定画面を示すものである。この「流星型」モードでも、上、右、下、左の各光源部が順次光る点では「単調」及び「１／ｆゆらぎ」モードと同じである。しかし「単調」及び「１／ｆゆらぎ」モードでは、同時に光るのは一側面の光源のみであるのに対し、本モードでは同時に２側面が光る場合がある。
【００３１】
具体的には、図２２を参照し、まず、ある時刻では、上側の側面が強く光っているものとする（同図ａ参照）。次に、同図（ｂ）に示すように、上側面側の輝度は弱くなる一方、右側面も弱く光る。そして、同図（ｃ）に示すように、上側面側の光源は完全に消灯する一方、右側面が強く光るようになる。
【００３２】
これを時系列的に示したのが、図２３である。まず初めに上側の光源（光源部Ｌ１及びＬ２のＬＥＤ）の輝度が、ゼロの状態（光っていない状態）から徐々に増加していく。そしてピーク強度に到達したら、一定期間、その強度で点灯を継続する。そして、一定期間の経過後、上側の光源の輝度は徐々に低下していく。これにあわせるように、右側の光源（光源部Ｌ４のＬＥＤ）の輝度が徐々に増加していく。以下、右側、下側、左側の光源が同様の態様で順次光る。つまり、流星型では、あたかも尾を引くような流れ星が流れるように、各光源部が光る態様となっている。
【００３３】
図２４は、これを時系列的に示したのが、図２３である。まず初めに上側の光源（光源部Ｌ１及びＬ２のＬＥＤ）の輝度が、ゼロの状態（光っていない状態）から徐々に増加していく。そしてピーク強度に到達したら、一定期間、その強度で点灯を継続する。そして、一定期間の経過後、上側の光源の輝度は徐々に低下していく。これにあわせるように、右側の光源（光源部Ｌ４のＬＥＤ）の輝度が徐々に増加していく。以下、右側、下側、左側の光源が同様の態様で順次光る。つまり、流星型では、あたかも尾を引くような流れ星が流れるように、各光源部が光る態様となっている。
【００３４】
（いやし時の色設定）
図２４は、図１２の画面において、色設定を選択したときの画面を示す図である。この色設定画面での設定により、いやし設定時の周辺発光部２のＬＥＤ光源の発光色を変えることができる。この設定画面の例では、第１色である「色１」を「赤」、色２を「青」、色３を「黄」としているが、この場合、例えば図１７の例で言うと、第１周期は赤色で発光し、第２周期は青色で発光し、第３周期は黄色で発光することとなる。なお、図２５に示すように、「色１」、２、３の設定はプルダウンメニューにより個々に設定することが
可能である。また、「色１」「赤」を選択する一方、色２、及び色３で「無」を選択すると、周辺発光部２の各ＬＥＤは常に赤色で発光することとなる。図２４、２５で示した設定画面は、説明の便宜上、ごく簡単な例を示したものであるが、実際にはもっと複雑な設定を行えるように仕様であってもよい。
【００３５】
（表示装置１０の回路について）
図２６は、表示装置１０の回路ブロック図である。表示装置１０は、既に説明した表示部１、ＬＥＤ２２、ＬＥＤ駆動回路基板２８の他、チューナ１１、ネットワークインタフェースＩ／Ｆ（Ｉ／Ｆ）１２、デマルチプレクサ（ＤＥＭＵＸ）１３、映像デコーダ１４、音声デコーダ１５、ＬＥＤ制御部１６、設定部１７、アンテナ１８、ＬＣＤ制御回路１９、スピーカ３０、音声出力回路３１、ＯＳＤ回路３２などを備えている。また、表示装置１０に対して操作入力を行うものとしてリモコン４０がある。
【００３６】
チューナ１１は、アンテナ１８が受信した地上波放送又は衛星放送の信号から、ユーザが所望のチャネルの信号を抽出する。Ｉ／Ｆ１２は、イーサネット（登録商標）等の有線通信網による家庭外からの信号を受信する。また、Ｉ／Ｆ１２は公共通信網（家庭外）からの信号だけでなく、ドアホン、炊飯器、風呂の湯沸かし器、ガス漏れ検知器などの家庭内機器からの信号を受信するＨＤＭＩインタフェースとしても機能する。ＤＥＭＵＸ１３は、チューナ１１で抽出した信号、又はＩ／Ｆ１２が受信した信号から、映像信号と音声信号を分離する。また、分離前の信号にデータ放送信号が含まれている場合、或いはヘッダ部分に所定の情報が含まれている場合は、それらの抽出も行う。
【００３７】
映像デコーダ１４は、ＤＥＭＵＸ１３で分離した映像信号をデコード（復号）する。例えば、ＭＰＥＧ２形式で符号化された映像信号の復号を行う。復号された映像信号は、ＯＳＤ回路３２を経由して、表示部１の液晶パネルを制御するＬＣＤ制御回路１９へ送出される。液晶パネルは、ＬＣＤ制御回路１９で生成される変調信号に駆動されることとなる。
【００３８】
音声デコーダ１５は、ＤＥＭＵＸ１３で分離した音声信号をデコードする。例えば、ＭＰＥＧ―ＡＡＣ形式で符号化された音声信号の復号を行う。音声出力回路３１は、アンプ回路等を備えており、音声デコーダ１５で復号された音声信号を増幅してスピーカ３０へ出力する。
【００３９】
ＬＥＤ制御部１６は、周辺発光部２の各ＬＥＤを発光させるべく、ＬＥＤ駆動回路基板２８へ制御信号を出力する。ＬＥＤ駆動回路基板２８は、ＬＥＤ２２を駆動するための回路であり、ＬＥＤ制御部１６からの信号、ならびに（図示しない）電源回路から供給されるＤＣ電源に基づいてＬＥＤ２２を駆動する。
【００４０】
設定部１７は、リモコン４０によりユーザから入力された設定内容を記憶する。また、上述のＬＥＤ制御部１６は、設定部１７に記憶された設定に従って、周辺発光部２の制御を行う。また、設定部１７は、表示部１に表示されるお知らせ設定画面（図７など）いやし設定画面（図１３など）のレイアウト情報も記憶している。
【００４１】
ＯＳＤ回路３２は、実際に表示部１に表示すべき画面情報を生成する。このＯＳＤ回路３２は、映像デコーダ１４、及び設定部１７からの入力を受けている。つまり、アンテナ１８経由で受信した放送による映像コンテンツを表示部１に表示させる場合、映像デコーダ１４から入力された映像情報に基づいて画面情報を生成する。一方、ユーザがいやし設定を行うための設定画面を表示部１に表示させる場合、設定部１７から入力されたレイアウト情報に基づいて画面情報を生成する。また、設定画面と映像コンテンツを合成させて表示させる場合、映像デコーダ１４及び設定部１７から入力された情報に基づいて表示部
１に表示させる画面情報を生成する。
【００４２】
また、表示部１に設定画面が表示している状況下で、ユーザがリモコン４０のカーソルキー等を操作した場合、その操作内容が随時、表示部１に反映されることとなるが、本例では、リモコン４０、設定部１７、ＯＳＤ回路３２、ＬＣＤ制御回路１９経由で表示部１に反映されることとなる。なお、表示部１に表示される設定画面の例は上述の各図で例示したとおりであり、周辺発光部２による発光態様の例も上述の各図で例示したとおりである。
【００４３】
なお、説明を省略したが、表示装置１０は、上記以外にも、表示装置１０全体を制御する制御部としてのＣＰＵや、映像信号を一旦蓄積するためのメモリ等を備えている。
【００４４】
以上、本発明の実施例を説明したが、本発明の各部構成は上記実施例に限らず、特許請求の範囲に記載の技術的範囲内で種々の変形が可能である。
【００４５】
例えば、上記実施例では、周辺発光部２は、表示部１の四辺が光るように設けられているが、一辺のみが光るように設けても良い。
【産業上の利用可能性】
【００４６】
本発明は、液晶テレビ、プラズマテレビの画像表示装置などに適用可能である。
【符号の説明】
【００４７】
１  表示部
２  周辺発光部
３  フロントキャビネット
４  バックキャビネット
１０  表示装置
１１  チューナ
１２  Ｉ／Ｆ
１３  ＤＥＭＵＸ
１４  映像デコーダ
１５  音声デコーダ
１６  ＬＥＤ制御部
１７  設定部
１８  アンテナ
１９  ＬＣＤ制御回路
２２  ＬＥＤ光源
２２ａ  ＬＥＤ光源
２２ｂ  ＬＥＤ光源
２４  導光板
２８  ＬＥＤ駆動回路基板
２９  コネクタ
３０  スピーカ
３１  音声出力回路
【図１】
2014064230.tif 000003
【図２】
2014064230.tif 000004
【図３】
2014064230.tif 000005
【図４】
2014064230.tif 000006
【図５】
2014064230.tif 000007
【図６】
2014064230.tif 000008
【図７】
2014064230.tif 000009
【図８】
2014064230.tif 000010
【図９】
2014064230.tif 000011
【図１０】
2014064230.tif 000012
【図１１】
2014064230.tif 000013
【図１２】
2014064230.tif 000014
【図１３】
2014064230.tif 000015
【図１４】
2014064230.tif 000016
【図１５】
2014064230.tif 000017
【図１６】
2014064230.tif 000018
【図１７】
2014064230.tif 000019
【図１８】
2014064230.tif 000020
【図１９】
2014064230.tif 000021
【図２０】
2014064230.tif 000022
【図２１】
2014064230.tif 000023
【図２２】
2014064230.tif 000024
【図２３】
2014064230.tif 000025
【図２４】
2014064230.tif 000026
【図２５】
2014064230.tif 000027
【図２６】
2014064230.tif 000028